(57)【要約】【課題】  コンパクトな構成にして小型化を図ることのできるレンズ駆動装置を提供する。【解決手段】  本発明のレンズ駆動装置は、レンズ３７を保持するレンズ保持枠３６と、レンズ保持枠３６を光軸方向にガイドするガイド部材３８、３９と、レンズ保持枠３６を光軸方向に駆動する駆動部材３１と、駆動部材３１とレンズ保持枠３６とを保持するベース部材とを有し、駆動部材３１はモータからなり、モータはベース部材に固定されるフランジ部３３を有し、フランジ部３３にはモータを駆動させるための電気的結線部材４５を貫通させる貫通穴４４が形成されている。【選択図】  図８
2005274633.tif 000002
【特許請求の範囲】
【請求項１】
レンズを保持するレンズ保持枠と、該レンズ保持枠を光軸方向にガイドするガイド部材と、前記レンズ保持枠を光軸方向に駆動する駆動部材と、該駆動部材と前記レンズ保持枠とを保持するベース部材とを有し、前記駆動部材はモータからなり、該モータは前記ベース部材に固定されるフランジ部を有し、該フランジ部には前記モータを駆動させるための電気的結線部材を貫通させる貫通穴が形成されていることを特徴とするレンズ駆動装置。
【請求項２】
前記ガイド部材の一端部を保持する保持部が前記フランジ部に形成されていることを特徴とする請求項１に記載のレンズ駆動装置。
【請求項３】
前記レンズ保持枠を光軸方向に付勢する付勢手段を有し、該付勢手段はその一端が前記フランジ部に係止されていることを特徴とする請求項１に記載のレンズ駆動装置。
【請求項４】
前記電気的結線部材がフレキシブルプリント基板であることを特徴とする請求項１ないし請求項３のいずれか１項に記載のレンズ駆動装置。
【請求項５】
請求項１ないし請求項４のいずれか１項に記載のレンズ駆動装置を用いたレンズ鏡胴。
【発明の詳細な説明】
【技術分野】
【０００１】
本発明は、レンズ鏡胴、デジタルカメラ、携帯情報端末、携帯型画像入力装置、画像投影装置等に用いられるレンズ駆動装置の改良に関する。
【背景技術】
【０００２】
従来から、レンズ駆動装置を備えたレンズ鏡胴として、図１に示す構成のものが知られている。この図１において、１はレンズ鏡胴の本体で、この本体１には対物レンズ群５を構成するレンズ２、３、４が所定の位置に固着されている。
【０００３】
６はレンズ３、４の間に設けられたスペーサー、７は対物レンズ群の押さえナット、８は本体１と結合する３群枠で、この３群枠８にはレンズ９が固着されている。１０は本体１と３群枠８との間に架設されたガイドポールで、このガイドポール１０には変倍レンズ群１５を構成するレンズ１２、１３、１４を保持した２群移動枠１１が摺動自在に配設されている。
【０００４】
１６は本体１と３群枠８との間に回転自在に架設されたスクリュー軸で、２群移動枠１１と螺合し、スクリュー軸１６が回転することにより２群移動枠１１は光軸１７の方向に移動可能となっている。
【０００５】
１８はスクリュー軸１６に固着された歯車、１９は歯車１９ａが固着されたモータで、このモータ１９は歯車１９ａがスクリュー軸１６の歯車部１８と噛み合うように本体１に固着され、制御信号によって回転し、スクリュー軸１６を回転させて２群移動枠１１を移動させるようになっている。
【０００６】
２０はアイリス部で、制御信号により絞り動作する。２１は３群移動枠８に固定されたマスターフランジ部で、マスターフランジ部２１と３群枠８との間には複数個のガイドポール２２が架設されている。２３はガイドポール２２に摺動自在に支持された４群移動枠で、この４群移動枠２３にはフォーカスレンズ群２７を構成するレンズ２４、２５、２６が固着されている。２８はフォーカスモータで、マスターフランジ部２１に固着されている。フォーカスモータ２８のスクリューシャフト２８ａには支持シャフト（図示を略す）に摺動案内されるナット体２９が螺合されている。このナット体２９の下端は４群移動枠２３の上端の係合部２３ａと係合している。これにより、フォーカスモータ２８が回転すると、ナット体２９を介して４群移動枠２３が光軸方向に移動されるようになっている（例えば、特許文献１参照。）。
【特許文献１】特許第２７５７５５１号公報
【発明の開示】
【発明が解決しようとする課題】
【０００７】
ところで、近時、レンズ鏡胴、デジタルカメラ、携帯情報端末、携帯型画像入力装置、画像投影装置等の小型化に伴って、これらの構成要素としてのレンズ駆動装置の小型化が要望されているが、レンズ駆動装置には電気部品を作動させるための電気的結線を行わなければならないために、これらの電気的結線を配線するためのスペースを確保する必要があり、結線関係のスペースの確保のための構造及びその周辺部材の構造が複雑化し、レンズ駆動装置の小型化ひいてはレンズ鏡胴等の小型化を図り難いという不都合がある。
【０００８】
本発明は、上記の事情に鑑みて為されたもので、コンパクトな構成にして小型化を図ることのできるレンズ駆動装置及びレンズ鏡胴を提供することにある。
【課題を解決するための手段】
【０００９】
請求項１に記載のレンズ駆動装置は、レンズを保持するレンズ保持枠と、該レンズ保持枠を光軸方向にガイドするガイド部材と、前記レンズ保持枠を光軸方向に駆動する駆動部材と、該駆動部材と前記レンズ保持枠とを保持するベース部材とを有し、前記駆動部材はモータからなり、該モータは前記ベース部材に固定されるフランジ部を有し、該フランジ部には前記モータを駆動させるための電気的結線部材を貫通させる貫通穴が形成されていることを特徴とする。
【００１０】
請求項２に記載のレンズ駆動装置は、前記ガイド部材の一端部を保持する保持部が前記フランジ部に形成されていることを特徴とする。
【００１１】
請求項３に記載のレンズ駆動装置は、前記レンズ保持枠を光軸方向に付勢する付勢手段を有し、該付勢手段はその一端が前記フランジ部に係止されていることを特徴とする。
【００１２】
請求項４に記載のレンズ駆動装置は、前記電気的結線部材がフレキシブルプリント基板であることを特徴とする。
【００１３】
請求項５に記載のレンズ鏡胴は、請求項１ないし請求項４のいずれか１項に記載のレンズ駆動装置を用いたことを特徴とする。
【発明の効果】
【００１４】
請求項１に記載のレンズ駆動装置によれば、電気的結線部材の配線用貫通穴をモータをベース部材に固定するためのフランジ部に形成し、ベース部材そのものの小型化を図ることにしたので、レンズ駆動装置の小型化を図ることができる。
【００１５】
請求項２に記載のレンズ駆動装置によれば、ガイド部材の一端部をフランジ部に形成した保持部で保持させる構成としたから、レンズ駆動装置をコンパクトな構成とすることができる。
【００１６】
請求項３に記載のレンズ駆動装置によれば、付勢手段の一端部をフランジ部に係止させる構成にしたから、請求項２に記載の発明と同様にコンパクトな構成とすることができる。
【００１７】
請求項４に記載のレンズ駆動装置は、電気的結線部材にフレキシブルプリント基板を用いることにしたので、モータの端子の配設自由度を高めることができると共に、貫通穴の穴幅を小さいものにすることができる。
【００１８】
請求項５に記載のレンズ鏡胴は、請求項１ないし請求項４のいずれか１項に記載のレンズ駆動装置を用いたので、レンズ鏡胴それ自体の小型化、コンパクト化を図ることができる。
【発明を実施するための最良の形態】
【００１９】
以下に、本発明に係わるレンズ駆動装置の発明の実施の形態を図面を参照しつつ説明する。
【実施例】
【００２０】
図２ないし図４は本発明に係わるレンズ駆動装置の外観図を示し、この図２ないし図４において、３０はベース部材を示している。このベース部材３０は例えば図１に示すマスターフランジ部２１の端面を構成するもので、マスターフランジ部２１はレンズ鏡胴の一部を構成している。すなわち、そのベース部材３０は結像面（ＣＣＤの配置面）側に位置し、後述するモータ、フォーカシングレンズ、図示を略すズームレンズを支持する役割を果たす。
【００２１】
そのベース部材３０にはマスターフランジ部２１の端面部に取り付けられる取り付けネジ穴３０ａ、３０ｂ、３０ｃを有する。そのベース部材３０のレンズ鏡胴の内部側に臨む面には、図２、図３に示すように駆動部材としてのステッピングモータ３１が取り付けられるものである。このステッピングモータ３１は後述するフォーカシングレンズを駆動するフォーカスモータとして機能する。
【００２２】
そのステッピングモータ３１は、図５、図６に拡大して示すように、モータ端子３２とフランジ部３３とを有する。そのステッピングモータ３１にはリードスクリュー３４が取り付けられ、このリードスクリュー３４には、図７、図８に示すようにナット体３５が螺合されている。そのナット体３５にはレンズ保持枠３６が一体に形成され、このレンズ保持枠３６にはレンズ（フォーカシングレンズ）３７が保持されている。
【００２３】
そのレンズ保持枠３６はガイド部材としての主ガイドポール３８と従ガイドポール３９とにガイドされて、光軸方向に往復動される。そのレンズ保持枠３６は係止筒４０を有する。その従ガイドポール３８の一端はベース部材３０に保持され、他端はマスターフランジ部２１に保持されるようになっている。
【００２４】
フランジ部３３には図５、図６に示すように係止部４１が形成され、係止部４１と係止筒４０との間にはレンズ保持枠３６を光軸方向に付勢する付勢手段としての付勢バネ４２が掛け渡されている。
【００２５】
その主ガイドポール３８はその一端部がフランジ部３３に形成された嵌合穴４３に嵌合されている。
【００２６】
そのフランジ部３３にはL字形状の貫通穴４４が形成され、貫通穴４４には図８に示すように電気的結線部材としてのフレキシブルプリント基板４５が貫通され、このフレキシブルプリント基板４５の一端部４５ａはモータ端子３２に半田付けされ、そのフレキシブルプリント基板４５の他端部４５ｂはベース部材３０の裏側に配置されて、図示を略す駆動回路（制御回路）に接続され、その駆動回路とステッピングモータ３１とがそのフレキシブルプリント基板４５を介して電気的に接続され、そのステッピングモータ３１はその駆動回路に基づく駆動信号により駆動される。なお、図４において、符号４６はＣＣＤの配設部である。
【００２７】
この発明のレンズ駆動装置は、ベース部材３０にフランジ部３３を介してステッピングモータ３１を組み付ける構成であり、そのフランジ部３３に付勢手段を係止する係止部４１、主ガイドポール３８を支持するための嵌合穴４３、フレキシブルプリント基板４５を貫通させるための貫通穴４４を形成することにしたので、レンズ駆動装置のコンパクト化を図りつつ小型化を図ることができる。
【００２８】
また、フレキシブルプリント基板４５を介して駆動回路とステッピングモータ３１とを接続する構成としたので、貫通穴４４の幅を狭くすることができる。
【図面の簡単な説明】
【００２９】
【図１】従来のレンズ駆動装置を備えたレンズ鏡胴の断面図である。
【図２】本発明に係わるレンズ駆動装置の一例を示す斜視図であって、レンズ駆動装置組立体を右方向から見た斜視図である。
【図３】本発明に係わるレンズ駆動装置の一例を示す斜視図であって、レンズ駆動装置組立体を左方向から見た斜視図である。
【図４】図１に示すレンズ駆動装置組立体を背面側から見た斜視図である。
【図５】フランジ部を有するステッピングモータを示す平面図である。
【図６】図５に示すフランジ部を有するステッピングモータの斜視図である。
【図７】ガイド部材とレンズ保持枠とナット体とが組み付けられた組み付け体を示す斜視図である。
【図８】図７に示す組み付け体に更に残余の構成部材を組み付けた状態を示す斜視図である。
【符号の説明】
【００３０】
３１…駆動部材（ステッピングモータ）
３３…フランジ部
３６…レンズ保持枠
３７…レンズ
３８、３９…ガイド部材（ガイドポール）
４４…貫通穴
４５…電気的結線部材（フレキシブルプリント基板）
【図１】
2005274633.tif 000003
【図２】
2005274633.tif 000004
【図３】
2005274633.tif 000005
【図４】
2005274633.tif 000006
【図５】
2005274633.tif 000007
【図６】
2005274633.tif 000008
【図７】
2005274633.tif 000009
【図８】
2005274633.tif 000010